(57)【特許請求の範囲】
【請求項１】
樹脂シートから熱成形され、物品の収容部を有する凹部と、凹部の開口周縁から外方に延在するフランジ部とを備え、凹部の開口が別体の蓋材で封止されるブリスターパック用カバー材において、
下端縁に、カバー材の背面側に繰り返し折り返し可能のフラップ部が設けられ、
フラップ部が、折り返しにより、収容部側に突出する立体形状部を有し、この立体形状部は、フラップ部の折り返し時に収容部に臨む支持面を有し、この支持面は、折り返したフラップ部の戻りが蓋材で規制された状態で収容部に収容された物品の背面を支持するものであることを特徴とするブリスターパック用カバー材。
【請求項２】
樹脂シートから熱成形され、物品の収容部を有する凹部と、凹部の開口周縁から外方に延在するフランジ部とを備え、凹部の開口が別体の蓋材で封止されるブリスターパック用カバー材において、
下端縁に、カバー材の背面側に繰り返し折り返し可能のフラップ部が設けられ、
フラップ部の先端縁に、繰り返し折り曲げ可能で、収容部の深さ方向に沿って延びる補助フラップが設けられ、かつ、この補助フラップが、物品の一端を収容する補助収容部を有することを特徴とするブリスターパック用カバー材。
【請求項３】
収容部の内壁面に、折り曲げた補助フラップと係合する係合部を設けた請求項２記載のブリスターパック用カバー材。
【請求項４】
フラップ部の折り返し時に、フラップ部の背面とフランジ部の背面とが同一平面上に位置する請求項１〜３の何れか一項に記載のブリスターパック用カバー材。
【請求項５】
フラップ部の全長を、凹部の最大深さよりも短小とした請求項１〜４の何れか一項に記載のブリスターパック用カバー材。
【請求項６】
請求項１〜５の何れか一項に記載のカバー材のフラップ部を折り返すことにより、フラップ部を弾性的に蓋材に密着させたブリスターパック。
【発明の詳細な説明】
【技術分野】
【０００１】
本発明は、ブリスターパック用のカバー材およびこれを用いたブリスターパックに関する。
【背景技術】
【０００２】
ブリスターパックは、化粧品、日用品、医薬品、小型電気部品等を、店頭において陳列するための包装体として広く用いられている。ブリスターパックとしては、樹脂シートから熱成形され、物品の収容部が設けられた凹部を有するカバー材と、カバー材の凹部開口を封止する平板状の蓋材とで構成されるものが公知である。この種のブリスターパックは、ステープル等の止め具を用いてカバー材に蓋材が固定される止め具固定タイプ、カバー材に蓋材が熱圧着される圧着固定タイプ（例えば、特許文献１）、およびカバー材の両側縁を折り返すことによって形成したガイド溝に沿って蓋材が挿入されるスライドタイプ（例えば、特許文献２）などに大別され、近年では、意匠性に富む、蓋材の封止および開封が簡便に行い得る等の理由で、圧着固定タイプやスライドタイプが多用される傾向にある。
【０００３】
この種のブリスターパックは、店頭において、フック等に吊り下げられた状態で陳列される他、棚に自立させた状態で陳列される場合もある。自立状態で陳列されるブリスターパック用のカバー材には、凹部の下端に、ブリスターパックを自立可能とするための脚部が設けられる（特許文献２）。
【特許文献１】特開平０９−２５５０３０号公報
【特許文献２】特開２００６−１３７４３０号公報
【発明の開示】
【発明が解決しようとする課題】
【０００４】
例えば、スライドタイプのブリスターパックにおいて、その側部ではカバー材の折り返し部分に蓋材が係合することによって凹部（収容部）の開口が封止されるが、下端部（あるいは上端部）ではカバー材と蓋材が密着していないため、両者間に形成される隙間から異物が収容部内に入り込むおそれが、また物品を抜き取られるおそれがある。特に、上記特許文献２のように、カバー材に、ブリスターパックを自立可能とする脚部を形成した場合、ブリスターパックの自立安定性を確保するには、脚部をできるだけカバー材の下端縁に接近した位置に設ける必要があるため、上記の問題が生じ易い。またこの場合、蓋材が圧着固定されるカバー材においては、カバー材の下端で蓋材との圧着面積が極小化されるために蓋材との圧着不良が生じ易いという問題もある。かかる圧着不良は、上記同様、異物が収容部内に入り込んだり、物品を抜き取られたりする等の問題を招く。
【０００５】
本発明は上記の問題点に鑑みてなされたものであり、その課題とするところは、蓋材固定時の作業性を低下させることなく、異物が侵入したり、物品が抜き取り取られたりするおそれの少ないブリスターパック用のカバー材を提供することにある。
【課題を解決するための手段】
【０００６】
上記課題を解決するため、本発明では、樹脂シートから熱成形され、物品の収容部を有する凹部と、凹部の開口周縁から外方に延在するフランジ部とを備え、凹部の開口が別体の蓋材で封止されるブリスターパック用のカバー材において、カバー材の下端縁に、カバー材の背面側に繰り返し折り返し可能のフラップ部が設けられ、フラップ部が、折り返しにより、収容部側に突出する立体形状部を有し、この立体形状部は、フラップ部の折り返し時に収容部に臨む支持面を有し、この支持面は、折り返したフラップ部の戻りが蓋材で規制された状態で収容部に収容された物品の背面を支持するものであることを特徴とするブリスターパック用カバー材を提供する。
【０００７】
なお、本発明でいう「熱成形」とは、加熱軟化された樹脂シートを型に沿わせて変形させることによって所定形状の成形品を得る手法を言い、具体的には、真空引きによって樹脂シートを型に沿わせて変形させる真空成形、圧縮空気の供給により樹脂シートを型に沿わせて変形させる圧空成形、あるいは真空引きと圧縮空気の供給を併用して樹脂シートを型に沿わせて変形させる真空圧空成形等の手法を言う。
【０００８】
上記のように、本発明に係るカバー材は、その端縁に、当該カバー材の背面側に繰り返し折り返し可能のフラップ部が設けられていることを特徴とするものである。このような構成とすれば、フラップ部を折り返すことにより、カバー材の端部と蓋材との接触面積を増大させることができる。これにより、蓋材が圧着固定されるカバー材においては、圧着不良が生じ難くなり、異物の侵入防止等が図られる。また、蓋材がスライド挿入されるカバー材においては、フラップ部を弾性的に蓋材に密着させることができるため、埃等が侵入するおそれを低減することが可能となる。なお、フラップ部はカバー材の端縁に設けられるものであり、上記の作用効果は、フラップ部をフランジ部の背面側に折り返すだけで得られるものであるから、蓋材固定時の作業性が、フラップ部を設けない場合に比べて低下するような事態は生じない。
【０００９】
フラップ部は、凹部の開口端部と同幅か、もしくはこれよりも幅広とするのが望ましい。このようにすることで、異物の侵入および物品の抜き取りを一層効果的に抑制あるいは防止することができる。
【００１０】
フラップ部の折り返し時、フラップ部の背面とフランジ部の背面とを同一平面上に位置させるのが望ましい。蓋材との接触面に段差がなくなるため、例えば蓋材を圧着固定する際には、その固定精度を高めることができるからである。また、蓋材の表面に不自然な凹凸が形成されるのを防止することができ、ブリスターパックの意匠性が低下するのを防止することができる。
【００１１】
ところで、ブリスターパックは様々な商品を収容するための包装体として用いられるものであるが、例えば、開封後に組立を行う組立式の商品を包装する場合には、従来のブリスターパックでは解消し得ない別の問題がある。詳細に述べると、このような商品は、完成品と概ね同視できる態様で各構成物品を展示すべく、各構成物品の芯合わせを行った状態で収容される場合が多い。しかしながら、各物品が同径であることは稀であり、従って相対的に小径の物品はブリスターパック内でがたつくという問題がある。この種の問題は、例えば、相対的に小径に形成された物品背面と蓋材表面との間に、隙間を埋める別部材を設けることで回避可能であるが、部品点数の増大、またこれに起因した組立の煩雑化を招く。かかる問題は、複数物品で構成された組立式の商品のみならず、例えばチューブ状の商品のように、長さ方向（軸方向）の各所で厚みが異なる商品を包装する場合でも同様に起こり得る。
【００１２】
上記の問題は、フラップ部に、折り返しにより、収容部側に突出する立体形状部を設けることで解消可能である。すなわち、フラップ部の適切な位置に適切な形状の立体形状部を設ければ、このフラップ部を折り返した状態で蓋材を固定することにより、隙間を埋めることができる。しかも、立体形状部は、フラップ部に形成されることから、部品点数の増大、およびこれに起因した蓋材組み付け時の作業性低下が生じることはない。従って、上記構成によれば、各構成物品・部位を適切な態様で収容しつつも、相対的に小径の物品・部位のガタ止めを低コストに実現することが可能となる。
【００１３】
また、例えば、円筒状の物品を包装する場合には、当該物品の回り止めを図る必要がある。輸送時等に物品が収容部内で回転すると、適切な態様で店頭に陳列することが難しくなるからである。現状、例えば、収容部内の両側面に凸部を設け、これら凸部間で円筒物品を挟持（拘束）する、収容部の形状自体を物品の外面に密着する形状に形成する等、の対策が講じられているが、前者の手段では確実に回り止めを図ることができず、後者の手段では収容部形状が複雑化して製造コストが増大する。
【００１４】
そこで本発明では、さらに、フラップ部の先端縁に、繰り返し折り曲げ可能で、収容部の深さ方向に沿って延びる補助フラップを設け、かつこの補助フラップに、物品の一端を収容する補助収容部を設けた構成を提供する。この場合、補助収容部は、物品の一端外面を全周に亘って拘束し得る環状形態に形成することができる。そのため、補助収容部の内径寸法を適切に設定しておけば、上記のように収容部形状に特段の工夫を凝らす必要はなく、むしろ収容部形状を単純化しつつも物品の回り止めを図ることができる。従い、効果的に物品の回り止めを図り得るカバー材を低コストに得ることができる。
【００１５】
上記構成を採用した場合、上述のとおり収容部形状を単純化することができるというメリットはあるが、収容部形状を単純化すると収容部内壁面と物品外面の間のクリアランスが大きくなる。そのため、収容部内で補助フラップががたつくと、収容部内で物品が大きくがたつくおそれがある。かかる問題が生じるのを回避すべく、上記構成を採用した場合には、収容部の内壁面に、折り曲げた補助フラップと係合する係合部を設けるのが望ましい。
【００１６】
凹部を有するカバー材は、通常、凹部成形用の型部が樹脂シートの送り方向に連設された（さらにシートの幅方向に連設される場合もある）成形型を用いて一群の成形品を熱成形した後、当該一群の成形品を個々のカバー材形状にトリミングすることによって製造される。そして使用する成形型には、真空引きや圧空供給によって樹脂シートを各型部に密着させる際の伸び代を確保するため、ロス部と称される余剰部分を型部間に介在させることが必須となっている。一般に、ロス部は、隣接する型部の最大高さ（あるいは深さ）と概ね等しい長さとされるため、トリミング後に排出される樹脂シートは未使用部分が多く残存する材料ロスの多いものであった。
【００１７】
この点、フラップ部の全長を凹部の最大深さよりも短小とすれば、上記のロス部を利用して、換言すると元来廃棄処理されていた樹脂シートの未使用部分を利用して、フラップ部、さらにはこれに立体形状部を形成することが可能となる。従って、特段のコスト増を招くことなく、上記の各種作用効果を奏し得るフラップ部および立体形状部を得ることが可能となるため、望ましい。また、廃棄物低減の観点からも好適である。なお、ここで言う「フラップ部の全長」とは、フラップ部の先端縁に補助フラップを設けた場合には、この補助フラップも含めた全長寸法をいう。
【００１８】
カバー材に設けたフラップ部は、これを折り返した状態で蓋材を固定すると、蓋材に弾性的に密着させることができる。
【発明の効果】
【００１９】
以上のように、本発明によれば、蓋材固定時の作業性を低下させることなく、異物が侵入したり、物品が抜き取り取られたりするおそれの少ないブリスターパック用のカバー材を提供することができる。
【発明を実施するための最良の形態】
【００２０】
以下、本発明の実施形態を図面に基づいて説明する。
【００２１】
図１は、本発明の第１実施形態に係るブリスターパック用カバー材１（以下、単に「カバー材１」と称す）の背面に、蓋材２０を熱圧着してなる、いわゆる圧着固定タイプのブリスターパックＢＰの一例を示す斜視図である。
【００２２】
カバー材１は、樹脂シート、本実施形態ではポリエチレンテレフタレート（ＰＥＴ）製の樹脂シートから熱成形されたものであり、図２（ａ）（ｂ）にも示すように、図示しない商品（物品）が収容される収容部３が設けられた凹部２と、凹部２の開口周縁から外方に延在するフランジ部５とで主要部が構成される。凹部２の下端には、ブリスターパックＢＰを自立させるための脚部４が、カバー材１の幅方向に離隔した二箇所に設けられる。なお、図２（ａ）は展開状態のカバー材１の背面図、図２（ｂ）は、図２（ａ）のＹ−Ｙ断面図をそれぞれ示すものである。但し、後述する実施形態も含め、断面図におけるカバー材１の肉厚は誇張して描いている。
【００２３】
本実施形態において、フランジ部５は、凹部２の開口側縁および開口上縁から外方に延びる第１のフランジ部５ａと、凹部２の開口下縁から外方に延びる第２のフランジ部５ｂとで構成される。第２のフランジ部５ｂは、カバー材１の厚みに概ね等しい幅（高さ）の段部５ｃを介して第１のフランジ部５ａよりも低い位置にあり、第１のフランジ部５ａと一体に形成されている。
【００２４】
カバー材１の下端縁（第２のフランジ部５ｂの下端縁）には、下方に延在し、その基端部７（第２のフランジ部５ｂとの接続部分）を支点としてカバー材１の背面側に繰り返し折り返し可能な舌片状のフラップ部６が一体的に設けられる。フラップ部６は、凹部２の開口下端と同幅かこれよりも幅広（図示例は幅広）とされ、その折り返し時に凹部２の開口下端を封止する（図３（ａ）を参照）。また、フラップ部６は、その折り返し時に弾性で戻ろうとして蓋材２０に密着する。さらに、本実施形態のフラップ部６は、上記態様で設けられた第２のフランジ部５ｂから下方に延在するものであり、折り返し後は段部５ｃに収容される。そのため、ブリスターパックＢＰの状態では、フラップ部６の背面が、図３（ｂ）に示すように、第１のフランジ部５ａの背面と同一平面上に位置するようになっている。また、フラップ部６の長さＬ１は、凹部２の最大深さＤ１よりも短い。
【００２５】
フラップ部６の基端部７には、当該フラップ部６の折り返しを容易化するため（折り返しを繰り返し行うことを可能とするため）、例えば、ミシン目状の貫通孔が形成されている。もちろん、フラップ部６の折り返しを容易化するための手段は、ミシン目状の貫通孔に限定されるものではなく、けい線（折り目）等であっても良い。
【００２６】
そして、以上の構成からなるカバー材１の収容部３内に物品（図３（ｂ）中に二点鎖線で示す）を収容した後、フラップ部６をカバー材１の背面に折り返し、この状態で第１のフランジ部５ａ、フラップ部６の背面に蓋材２０を熱圧着することにより、図１に示すブリスターパックＢＰが完成する。
【００２７】
以上に示す本発明に係るカバー材１は、その下端縁に、当該カバー材１の背面側に繰り返し折り返し可能のフラップ部６が一体的に設けられているものであるから、フラップ部６を折り返すことにより、凹部２の開口下端を封止することができ、しかもカバー材１下端と蓋材２０との接触面積（圧着面積）を増大させることができる。これにより、蓋材２０の圧着不良に起因した隙間が生じるのを効果的に防止することができ、異物の侵入防止、物品の抜き取り防止が図られる。また、フラップ部６は、カバー材１の下端縁に一体的に設けられており、このフラップ部６を背面側に折り返すだけで上記の効果が得られるから、蓋材２圧着時の作業性が低下することはない。
【００２８】
特に本実施形態では、図３からも明らかなように、フラップ部６が、その折り返し時に、収容部３の形成領域に至る長さに形成されているので、蓋材２０の固定時（圧着時）には、フラップ部６の前面を物品で支持することができ、フラップ部６の背面に蓋材２０を精度良く圧着することができる。
【００２９】
また、フラップ部６の折り返し時、フラップ部６の背面とフランジ部５（第１のフランジ部５ａ）の背面とを同一平面上に位置させるようにし、両面間で段差が生じないようにしたので、蓋材２０の圧着精度を高めることができる。またかかる構成とすることにより、ブリスターパックＢＰの背面に不自然な凹凸が生じ、ブリスターパックＢＰの意匠性が低下するのを回避することができる。
【００３０】
次に、上述したカバー材１の製造方法について説明する。
【００３１】
図４は、カバー材１の成形装置４０の要部を概念的に示す側面図である。同図において、図中左方に配置された原反ロール４１からはＰＥＴ製の樹脂シート４２が繰り出される。この樹脂シート４２は、図示しない搬送手段によって、成形機５０、図示しない中間パンチャーおよびトリミング機に順送りされ、トリミング機から排出された段階で完成品としてのカバー材１が得られる。なお、カバー材１に装飾を施したり、原材料名等を刻印したりする箔押機やパッド印刷機等をインライン上に配設することも可能である。
【００３２】
成形機５０は、加熱部５１と成形部５２とで主要部が構成された真空成形機である。加熱部５１は、樹脂シート４２を成形適温に加熱軟化させるためのものであり、図示しないヒータが搬送路の上方または下方の何れか一方又は双方に配置されている。加熱部５１で成形適温に加熱軟化された樹脂シート４２は成形部５２に移送される。成形部５２では、図５にも示すように、凹部２を型成形するための型部５３ａがシート送り方向および幅方向に所定間隔で連設された成形型５３を用いて、１ショットで多数（複行複列）の凹部２が樹脂シート４２に型成形される。成形型５３には無数の吸気孔５３ｂが設けられており、図示しない吸気装置から各吸気孔５３ｂを介して樹脂シート４２と成形型５３との間の空気を引くと、樹脂シート４２が各型部５３ａに沿って変形し（図５中に点線で示す）、これにより、多数の凹部２が所定間隔で樹脂シート４２に型成形される。
【００３３】
多数の凹部２が型成形された樹脂シート４２は遊び部４３に移送され、弛んだ状態で一旦滞留する。これにより、１ショットで複行複列の凹部２を樹脂シート４２に成形する成形機５０と、１ショットでシート送り方向の一列分のみを加工する後段各機との間のサイクルタイムのずれが吸収される。次いで、樹脂シート４２は図示しない中間パンチャーに移送され、この中間パンチャーで、カバー材１に設けるべきフラップ部６の基端に対応する位置に、フラップ部６の折り返しを容易化するためのミシン目状貫通孔が形成される。その後、樹脂シート４２はトリミング機に移送され、このトリミング機で樹脂シート４２を所定形状にトリミングすることにより、個々の完成品（カバー材１）が得られる。一方、トリミング後の樹脂シート４２は、図示しないスクラップワインダーに巻き取られる。
【００３４】
量産時には、以上の動作が並行して連続的に行われ、カバー材１は連続成形される。
【００３５】
ところで、上述した成形部５２において、１ショットで複行複列の凹部２を型成形する場合、成形型５３の型部５３ａ間（厳密には、樹脂シート４２の送り方向で隣接する型部５３ａ間）には、真空引きによって樹脂シート４２を各型部５３ａに密着させる際の伸び代を確保するため、隣接する型部５３ａの最大高さＨ１と概ね等しい長さＬｒ１のロス部Ｒと称される余剰部分を介在させることが必須となっている。本実施形態に係るカバー材１を例にとって詳述すると、このカバー材１にフラップ部６を設けない場合であっても、型部５３ａをシート４２送り方向に連設する際の配置間隔は、フランジ部５の両端縁間の離間距離と、ロス部Ｒの長さＬｒ１とを合算した値とする必要がある。この場合、トリミング後に排出される樹脂シート４２は、未使用部分が多く残存する材料ロスが多いものとならざるを得ない。
【００３６】
本願発明者らは上述の樹脂シート４２の未使用部分に着目し、フラップ部５の全長Ｌ１を、凹部２の最大深さＤ１よりも小さく、換言するとロス部Ｒの長さＬｒ１よりも短くすることにより、従来廃棄処分されていた樹脂シート４２の未使用部分を利用して、フラップ部６を形成するようにした。従って、上述した作用効果を奏するカバー材１は、特段のコスト増を招くことなく得られる。
【００３７】
以上で説明したカバー材１においては、その下端縁に繰り返し折り返し可能なフラップ部６を設けたが、フラップ部６は、凹部２の形成態様に応じてカバー材１の上端縁や側縁に設けることも可能である。
【００３８】
図６および図７は、本発明に係るカバー材１の第２実施形態を示すものであり、蓋材２０が背面にスライド挿入される、いわゆるスライドタイプのブリスターパック用カバー材１である。同図に示すカバー材１は、図６（ｂ）中に点線で示すような分離独立した第１部材Ｂ１、第２部材Ｂ２、および第３部材Ｂ３からなる組立式の商品の包装に供されるものである。なお、説明を簡略化するため、以上で述べた第１実施形態に係るカバー材１と同一の機能を奏する部位には共通の参照番号を付し、重複説明を省略する。
【００３９】
凹部２の収容部３は、第１部材Ｂ１を収容するための第１収容部３１、第２部材Ｂ２を収容するための第２収容部３２、および第３部材Ｂ３を収容するための第３収容部３３に区画され、各部材Ｂ１〜Ｂ３は各収容部３１〜３３にそれぞれ設けられた係止部３１ａ〜３３ａ（図６（ａ）を参照）と軸方向に係合することで、それぞれ分離独立して収容部３内に保持可能とされている。第１収容部３１および第２収容部３２は、陳列状態における第１部材Ｂ１および第２部材Ｂ２の奥行（外径寸法）に概ね等しい深さとされる一方、第３収容部３３は、第３部材Ｂ３の奥行よりも所定量深くなっている（図６（ｂ）を参照）。これは、第１〜第３部材Ｂ１〜Ｂ３を組み付けて得られる完成品と概ね同視できる態様（各部材を芯合わせした態様）で、各部材を陳列可能とするためである。
【００４０】
凹部２の下端に設けられる脚部４は、本実施形態では凹部２（カバー材１）の幅方向中央部の一箇所に設けられる。
【００４１】
上記の第１実施形態と同様、カバー材１の下端縁（第２のフランジ部５ｂの下端縁）には、下方に延在し、その基端部７を支点として当該カバー材１の背面側に繰り返し折り返し可能な舌片状のフラップ部６が一体的に設けられる。フラップ部６は、凹部２の開口下端（脚部４の幅）と同幅もしくはこれよりも幅広（図示例は、幅広）とされる。フラップ部６の折り返し時には、フラップ部６が弾性で戻ろうとして蓋材２０に密着するため、凹部２の開口下端がフラップ部６で封止される（図７（ａ）を参照）。また、フラップ部６は、図２に示す第１実施形態と同様に、カバー材１の厚みに概ね等しい幅の段部５ｃを介して第１のフランジ部５ａよりも低い位置にある第２のフランジ部５ｂから下方に延在するものであるから、フラップ部６を折り返した状態で、フラップ部６の背面は第１のフランジ部５ａの背面と同一平面上に位置可能である（図７（ｂ）を参照）。フラップ部６の長さＬ２は、凹部２の最大深さＤ２よりも短い。
【００４２】
フラップ部６には、図６に示す展開状態では収容部３とは反対方向に所定量突出する一方、図７（ａ）（ｂ）に示す背面側への折り返し時には、第３収容部３３側に突出する立体形状部８が設けられる。この立体形状部８の突出量は、これと第３部材Ｂ３の厚みとを合算した値が、第３収容部３３の深さに概ね等しくなるように設定される。また、立体形状部８のうち、第３収容部３３内に収容される第３部材Ｂ３と対向する面（第３収容部３３に臨む面）は、第３部材Ｂ３の背面に概ね倣った形状に形成される。従って、立体形状部８のうち、フラップ部６を背面側に折り返したときに第３収容部３３に臨む面は、フラップ部６の戻りを蓋材２０で規制した状態（より詳細には、各収容部３１〜３３に第１〜第３部材Ｂ１〜Ｂ３をそれぞれ収容した後、フラップ部６が背面側に折り返されたカバー材１に蓋材２０を組み付けた状態）において、第３収容部３３に収容された第３部材Ｂ３の背面を支持可能な支持面８ａ［図７（ｂ）参照］として機能する。
【００４３】
フランジ部５（第１のフランジ部５ａ）の両側縁の軸方向に離隔した二箇所には、その基端を支点としてカバー材１の背面側に折り返される小フラップ９，９がそれぞれ設けられる。全体として４箇所設けられた小フラップ９のうち図中左下に位置する小フラップ９には、当該小フラップ９の表裏に開口した貫通孔９ａが設けられる。この貫通孔９ａには蓋材２０の一側縁に形成した突出部２０ａ（図８を参照）が嵌合可能とされ、カバー材１と蓋材２０の組み付け時に、突出部２０ａを貫通孔９ａに嵌合させることにより両者の相対移動が規制される。
【００４４】
そして、以上の構成からなるカバー材１に対する蓋材２０の組み付けは以下のようにして行われる。まず、図７（ａ）（ｂ）に示すように、各小フラップ９をカバー材１の背面側に折り返してガイド溝９ｂを形成した状態で、各収容部３１〜３３内に各部材Ｂ１〜Ｂ３を収容する。次いで、カバー材１の下方から、両側縁をガイド溝９ｂに沿わせるようにして蓋材２０をスライド挿入する。そして、蓋材２０に設けた突出部２０ａをカバー材１に設けた貫通孔９ａ（図８を参照）に嵌合させると、図８に示すブリスターパックＢＰが完成する。
【００４５】
以上に示す本発明の第２実施形態に係るカバー材１は、その下端縁に、当該カバー材１の背面側に繰り返し折り返し可能のフラップ部６が一体的に設けられ、このフラップ部６は、弾性的に蓋材２０に密着するものであるから、凹部２の開口下端を封止することができる。これにより、埃等の異物が凹部２（収容部３）内に侵入するのを効果的に抑制することが可能となる。また、このフラップ部６は、カバー材１の下端側にのみ設けられるものであるから、蓋材２０の挿入性が低下することもない。
【００４６】
また、本実施形態に係るカバー材１においては、フラップ部６に、当該フラップ部６の折り返しにより、第３収容部３３側に突出する立体形状部８を設けているため、フラップ部６を折り返すだけで、第３部材Ｂ３の背面と蓋材２０との間に形成される隙間を埋めることができる。これにより、第１および第２部材Ｂ１，Ｂ２に比べて小径の第３部材Ｂ３の視認性が陳列状態で低下するのを防止することが、また、第３部材Ｂ３がカバー材１表裏方向でがたつくのを防止することができる。かかる効果を奏する立体形状部８は、フラップ部６に一体的に設けられるので、部品点数の増大、およびこれに起因した蓋材２０の挿入性低下は回避される。
【００４７】
次に、本発明の第２実施形態に係るカバー材１の製造方法について説明する。但し、このカバー材１の成形装置の要部は図４に示すものと実質的に同一であり、成形機５０の成形部５２の構成のみが第１実施形態と異なる。そのため、成形部５２の具体例のみを図９に示し、成形装置４０のその他の部分および挙動についての説明は省略する。
【００４８】
図９に示す成形部５２で用いられる成形型５３には、凹部２および立体形状部８を型成形するための型部５３ａ，５３ｃが、それぞれシート送り方向および幅方向に所定間隔で連設されており、１ショットで多数の凹部２，立体形状部８が樹脂シート４２に型成形される。成形型５３には無数の吸気孔５３ｂが設けられており、図示しない吸気装置から各吸気孔５３ｂを介して樹脂シート４２と成形型５３との間の空気を引くと、図中点線で示すように樹脂シート４２が各型部５３ａ，５３ｃに沿って変形し、これにより多数の凹部２および立体形状部８が所定間隔で樹脂シート４２に型成形される。
【００４９】
図示例の成形型５３においても、凹部２を成形するための型部５３ａ間には、隣接する型部５３ａの最大高さＨ２、換言すると、凹部２の最大深さＤ２と概ね等しい長さＬｒ２のロス部Ｒが設けられており、立体形状部８を成形するための型部５３ｃは、ロス部Ｒの範囲内に設けられている。従って、以上で説明した本発明の第２実施形態に係るカバー材１においても、従来廃棄処分されていた樹脂シート４２の未使用部分を利用してフラップ部６、さらには立体形状部８を形成しているので、このカバー材１も特段のコスト増を招くことなく得られる。
【００５０】
以上に示す第２実施形態では、奥行の異なる分離独立した複数の部材Ｂ１〜Ｂ３からなる商品包装用のカバー材１について説明を行ったが、図６等に示す構成は、このような商品のみならず、例えばチューブ状商品のように、長さ方向の各所で厚みの異なる商品包装用のカバー材にも好適に適用可能である。
【００５１】
また、以上に示す第２実施形態では、下端縁に繰り返し折り返し可能なフラップ部６を設けたカバー材１について説明を行ったが、かかる構成のフラップ部６は、カバー材１の上端縁に設けることも可能である。
【００５２】
図１０は本発明の第３実施形態に係るカバー材１の展開状態を、また図１１は同カバー材１に図示しない蓋材を組み付ける直前の状態をそれぞれ示すものであり、いわゆるスライドタイプのブリスターパック用カバー材１の第２構成例である。図示例のカバー材１は、全長に亘って概ね径一定に形成された円筒状の商品Ｃ（図１１中の点線参照）の包装に供されるものであり、上記各実施形態のカバー材１同様に、樹脂シートから熱成形されたものである。以下、本実施形態に係るカバー材１の各部についての説明を行うが、以上で述べた実施形態とは異なる部位についての説明を重点的に行うこととし、共通する部位についての説明は簡略化、もしくは省略する。
【００５３】
凹部２（収容部３）は、平面視で略矩形状をなし、その深さＤ３は軸方向全長に亘って略同一寸法に設定されている。但し、収容部３の開口幅は、成形時の抜き勾配を確保する観点から、カバー材１の表面側に向かって漸次縮小している。凹部２の下端には、完成品としてのブリスターパックＢＰを自立させるための脚部４が、カバー材１の幅方向に離隔した二箇所に設けられる。
【００５４】
カバー材１の下端縁には、繰り返し折り返し可能とされ、折り返し時にはフランジ部５と係合する舌片状のフラップ部６が設けられ、さらに当該フラップ部６の下端縁（先端縁）には、下方に延在した舌片状の補助フラップ１０が設けられる。補助フラップ１０の基端部１２には、フラップ部６の基端部７と同様にミシン目状の貫通穴（あるいはけい線）が設けられており、これにより補助フラップ１０は、その基端部１２を支点として繰り返し折り曲げ可能とされる。補助フラップ１０の長さＬ３は収容部３の深さＤ３よりも若干量短小に形成される一方、補助フラップ１０の幅は、収容部３の開口幅がカバー材１表面側に向かって漸次縮小するのに対応するかたちで下方に向かって漸次縮小している。
【００５５】
また、この補助フラップ１０には、図１０に示す展開状態で収容部３とは反対方向に所定量突出する一方、図１１に示す状態で当該カバー材１の上下方向に延び、商品Ｃの下端を収容する補助収容部１１が設けられる。図１０（ａ）に示すように、補助収容部１１は平面視で環状に形成され、その内壁面には、周方向の複数箇所に離隔して突起１１ａが設けられている。そして、これら各突起１１ａの先端部を繋いで形成される円（仮想円）の内径寸法は、商品Ｃの下端外径寸法よりも小径とされる。
【００５６】
収容部３の両内側面には、折り曲げられた補助フラップ１０と係合する係合部としての凸状部１３が設けられる。詳細に述べると、この凸状部１３は、その下端部が、展開状態から背面側に１８０°折り返されたフラップ部６の先端部（補助フラップ１０の基端部１２）と略同一平面上に位置するように設けられている（図１１（ｂ）を参照）。
【００５７】
そして、以上の構成からなるカバー材１に対する図示しない蓋材の組み付けは以下のようにして行われる。図１０（ｂ）に示すように商品Ｃの下端部を補助フラップ１０の補助収容部１１に収容（圧入）した後、フラップ部６を背面側に１８０°折り返し、さらに補助フラップ１０を収容部３側に９０°折り曲げる。これにより、補助フラップ１０が収容部３の深さ方向に沿って延びた状態で収容部３内に収容され、またこれと同時に商品Ｃが収容部３内に収容される。このとき、補助フラップ１０は、収容部３の内側面に設けた凸状部１３と係合する（図１１（ｂ）を参照）。そして、各小フラップ９をカバー材１の背面側に折り返してガイド溝９ｂを形成し、ガイド溝９ｂに沿って図示しない蓋材をスライド挿入する。なお、商品Ｃは、カバー材１を上記所定の態様に形成した後、その下端部を補助収容部１１に、さらにはその全体を収容部３内に収容するようにしても良い。
【００５８】
以上に示すように、補助フラップ１０に設けた補助収容部１１は、商品Ｃの下端外面を全周に亘って拘束し得る環状形態に形成することができる。そのため、補助収容部１１の内径寸法（厳密には、複数の突起１１ａの先端部を繋いで形成される仮想円の直径寸法）を、上記のように商品Ｃの下端外径寸法よりも小径としておけば、収容部３の形状に特段の工夫を凝らす必要はなく、むしろ収容部３の形状を単純化しつつも商品Ｃの回り止め機能を高めることができる。従い、効果的に商品Ｃの回り止めを図り得るカバー材１を低コストに得ることができる。
【００５９】
但し、本実施形態のように、収容部３形状を単純化すると、収容部３の内壁面と商品Ｃの外面との間のクリアランスが大きくなる。そのため、収容部３内で補助フラップ１０ががたつくと、収容部３内で商品Ｃが大きくがたつくおそれがある。この点、収容部３の内側面に設けた係合部としての凸状部１３と補助フラップ１０とを係合させるようにしたので、この種の問題も効果的に抑制することができる。なお、かかる効果は、商品Ｃの重みによって補助フラップ１０が下方に押し付けられ、かつ、フラップ部６が弾性で戻ろうとするのを図示しない蓋材で規制されることによって得られる。
【００６０】
本実施形態では図示を省略しているが、第１および第２実施形態と同様、フラップ部６の折り返し時に、フラップ部６の背面とフランジ部５の背面とが同一平面上に位置するように、カバー材１の下端縁付近の形状に工夫を凝らすことも可能である。
【００６１】
また、図示は省略するが、以上で説明した各実施形態の構成は、組み合わせて用いることも可能である。具体的には、例えば、図６に示す構成と、図１０に示す構成とを幅方向に連続して設けることも可能である。このようにすれば、複数物品を並列展示する場合に、各物品を最適な態様で陳列することができる。
【００６２】
以上では、真空引きによって樹脂シート４２を型に沿わせて変形させるいわゆる真空成形により、カバー材１の凹部２（さらに立体形状部８や補助収容部１１）を形成するようにしているが、凹部２等は、圧縮空気の供給により樹脂シート４２を型に沿わせて変形させる圧空成形、あるいは真空引きと圧縮空気の供給を併用して樹脂シート４２を型に沿わせて変形させる真空圧空成形によって形成することも可能である。
【００６３】
また、以上では、ＰＥＴ製の樹脂シート４２から熱成形したカバー材１について説明を行ったが、カバー材１の成形に使用可能な樹脂シート４２はこれに限定されるわけではなく、例えば、ポロプロピレン（ＰＰ）や生分解性樹脂等からなる樹脂シート４２を使用することも可能である。
【図面の簡単な説明】
【００６４】
【図１】ブリスターパックの一例を示す斜視図である。
【図２】（ａ）図は本発明の第１実施形態に係るカバー材の展開状態における背面図、（ｂ）図は（ａ）図のＹ−Ｙ断面図である。
【図３】（ａ）図は、図２（ａ）に示すカバー材背面に、蓋材を固定する直前の状態を示す背面図、（ｂ）図は（ａ）図のＹ−Ｙ断面図である。
【図４】カバー材成形装置の要部を概念的に示す側面図である。
【図５】成形装置内におけるカバー材成形部の要部拡大断面図である。
【図６】（ａ）図は本発明の第２実施形態に係るカバー材の展開状態における背面図、（ｂ）図は（ａ）図のＹ−Ｙ断面図である。
【図７】（ａ）図は、図６（ａ）に示すカバー材背面に、蓋材を固定する直前の状態を示す背面図、（ｂ）図は（ａ）図のＹ−Ｙ断面図である。
【図８】図６に示すカバー材に蓋材を固定してなるブリスターパックの背面図である。
【図９】成形装置内における、図６に示すカバー材成形部の要部拡大断面図である。
【図１０】（ａ）図は本発明の第３実施形態に係るカバー材の展開状態における背面図、（ｂ）図は（ａ）図のＹ−Ｙ断面図である。
【図１１】（ａ）図は、図１０（ａ）に示すカバー材背面に、蓋材を固定する直前の状態を示す背面図、（ｂ）図は（ａ）図のＹ−Ｙ拡大断面図である。
【符号の説明】
【００６５】
１      ブリスターパック用カバー材
２      凹部
３      収容部
４      脚部
５      フランジ部
５ａ    第１のフランジ部
５ｂ    第２のフランジ部
５ｃ    段部
６      フラップ部
７      基端部
８      立体形状部
１０    補助フラップ
１１    補助収容部
１３    係合部（凸状部）
２０    蓋材
４２    樹脂シート
５０    成形機
５２    成形部
５３    成形型
５３ａ  （凹部成形用の）型部
５３ｃ  （立体形状部成形用の）型部
Ｄ１、Ｄ２  凹部の最大深さ
Ｌ１、Ｌ２  フラップ部の全長
Ｌ３    補助フラップの全長
【図１】
0005248295.tif 000002
【図２】
0005248295.tif 000003
【図３】
0005248295.tif 000004
【図４】
0005248295.tif 000005
【図５】
0005248295.tif 000006
【図６】
0005248295.tif 000007
【図７】
0005248295.tif 000008
【図８】
0005248295.tif 000009
【図９】
0005248295.tif 000010
【図１０】
0005248295.tif 000011
【図１１】
0005248295.tif 000012